(57)【要約】相互作用でかつ間隙性の光力学的腫瘍治療および／または光熱的腫瘍治療ならびに／もしくは腫瘍診断のための装置および方法であって、装置が、少なくとも一つの放射源（９ａ、９ｂ）から前記反応部位（８）までおよび前記反応部位（８）から少なくとも一つの放射センサ（１２）まで放射を供給する供給器（１）を含んでいる。前記反応部位（８）まで放射を案内するためおよび前記腫瘍部位（８）から放射を案内するために複数の第一の放射案内部（６、６’）が配置されている。前記放射源（９ａ、９ｂ）から放射を供給するためおよび／または前記放射センサ（１２）まで放射を案内するために複数の第二の放射案内部（７、７ａ、７ａ’、７ｂ）が配置されている。供給器は、互いに当接する二つの平坦なディスク（３、４）を具備し、これらディスクのうちの第一のディスクが固定ディスク（３）であり、これらディスクのうちの第二のディスクが前記第一のディスクに対して回転可能なディスク（４）である。前記ディスクのそれぞれには、円形線をなすよう配置された穴（５）が形成されており、一方のディスクの前記円形線の半径は他方のディスクの円形線の半径に等しくなっている。第一の放射案内部（６、６’）の一端は前記固定ディスク（３）の穴に固定されており、第二の放射案内部（７、７ａ、７ａ’、７ｂ）の一端は回転可能ディスクの穴に固定されている。
2005508690.tif 000002
【特許請求の範囲】
【請求項１】
相互作用でかつ間隙性の光力学的腫瘍治療および／または光熱的腫瘍治療ならびに／もしくは腫瘍診断のための装置において、少なくとも一つの放射源（９ａ、９ｂ）と、少なくとも一つの放射センサ（１２）と、腫瘍部位（８）まで供給される放射案内部（６、６’）とを具備しており、前記腫瘍部位（８）における腫瘍の診断および治療のために前記放射案内部は使用時に前記腫瘍部位（８）へ放射を案内するための送信部および／または前記腫瘍部位から放射を案内するための受信部として使用されている装置において、
少なくとも一つの放射源（９ａ、９ｂ）から前記腫瘍部位（８）までおよび前記腫瘍部位（８）から少なくとも一つの放射センサ（１２）まで放射を供給する供給器（１）を含んでおり、
該供給器（１）は、
前記腫瘍部位（８）まで放射を案内するためおよび前記腫瘍部位（８）から放射を案内するために配置された複数の第一の放射案内部（６、６’）と、
前記放射源（９ａ、９ｂ）から放射を供給するためおよび／または前記放射センサ（１２）まで放射を案内するために配置された複数の第二の放射案内部（７、７ａ、７ａ’、７ｂ）と、
互いに当接する二つの平坦なディスク（３、４）とを具備し、これらディスクのうちの第一のディスクが固定ディスク（３）であり、これらディスクのうちの第二のディスクが前記第一のディスクに対して回転可能なディスク（４）であり、
前記ディスクのそれぞれには、円形線をなすよう配置された穴（５）が形成されており、一方のディスクの前記円形線の半径は他方のディスクの円形線の半径に等しくなっており、一方のディスクの前記穴は前記円形線上に分離角Ｖ１（＝３６０／ｎ１）で均等に分布しており、ｎ１は前記穴の数を示しており、前記他方のディスクの前記穴は前記円形線上に分離角Ｖ２（＝３６０／ｎ２）で均等に分布しており、ｎ２はｍにｎ１を乗じたものであり、ｍはｎ２を１より大きい整数にする倍数であり、
前記第一の放射案内部（６、６’）の第一の端部は前記固定ディスク（３）の前記穴に固定されており、前記第二の放射案内部（７、７ａ、７ａ’、７ｂ）の第一の端部は前記回転可能ディスク（４）の前記穴に固定されており、前記回転可能ディスクを回転することによって前記第一および第二の放射案内部を異なる配列で互いに連結することができる装置。
【請求項２】
ｎ１が前記供給器（１）の前記固定ディスク（３）内における前記穴の数であり、ｎ１＝６でかつｍ＝２であり、前記供給器（１）の前記回転可能ディスク（４）内の穴の数ｎ２＝１２である請求項１に記載の装置。
【請求項３】
他の一つおきの第二の放射案内部（７）が第二の放射案内部（７）の第一の列の一部であり、前記第二の放射案内部の前記第一の列における放射案内部（７ａ’）は前記放射源（９ａ）から放射できるように配置されており、第二の放射案内部の前記第一の列における他の放射案内部（７ａ）は前記放射センサ（１２）への放射を案内するように配置されている請求項１または２に記載の装置。
【請求項４】
前記放射源（９ａ）は、白色光、赤色光、青色光／紫色光、紫外線光のための光源である請求項３に記載の装置。
【請求項５】
前記光源がビームスプリッタ（１８）を含む請求項４に記載の装置。
【請求項６】
伝達用放射案内部（１９）がダイクロックの前記ビームスプリッタ（１８）と前記放射センサ（１２）との間に配置されている請求項５に記載の装置。
【請求項７】
前記第一の放射案内部（６、６’）の第二の端部が感温性蛍光発光の材料により処理されている請求項４に記載の装置。
【請求項８】
前記放射センサ（１２）が二次元検出器配列体を備えた分光計であり、第二の放射案内部の前記第一の列の前記他の放射案内部（７ａ）の他の端部は前記分光計の入口用スリットに配置されている請求項１から７のいずれか一項に記載の装置。
【請求項９】
他の一つおきの放射案内部（７）が前記放射源（９ｂ）から放射するために配置された第二の放射案内部の第二の列の一部である請求項１または２に記載の装置。
【請求項１０】
前記放射源（９ａ、９ｂ）は単一の固定波長のコヒーレント光のための光源である請求項１から９のいずれか一項に記載の装置。
【請求項１１】
前記供給器は、前記回転可能ディスク（４）を所定の角度位置に固定するよう配置された固定手段（１０、１１）を含んでいる請求項１に記載の装置。
【請求項１２】
前記放射案内部（６、６’、７、７ｂ）が光ファイバである請求項１から１１のいずれか一項に記載の装置。
【請求項１３】
放射案内部（６’）が放射を前記腫瘍部位（８）まで伝達するときに、蛍光が同一の放射案内部（６’）を通じて記録される請求項４から６のいずれか一項に記載の装置。
【請求項１４】
相互作用光力学治療のための、感温性蛍光発光の材料により処理されている一つまたは複数の前記放射案内部（６、６’）が前記腫瘍部位における温度を測定できるようになっており、
前記腫瘍部位（８）まで供給される前記放射が前記腫瘍部位（８）を加熱するようになっており、
前記個々の放射案内部（６、６’）において前記腫瘍部位（８）の温度を調節するために前記放射の強度が前記測定された温度によって制御される請求項７に記載の装置。
【請求項１５】
相互作用でかつ間隙性の光力学的腫瘍治療および／または光熱的腫瘍治療ならびに／もしくは腫瘍診断のための方法において、少なくとも一つの放射センサ（１２）と放射案内部（６、６’）とが腫瘍部位（８）に連結されており、前記放射案内部は、前記腫瘍部位（８）へ放射を案内するための送信部および／または前記腫瘍部位から放射を案内するための受信部として使用されている方法において、
腫瘍の治療と腫瘍の診断との間の切替が自動的に行われ、
前記腫瘍部位（８）の最適治療が達成されるまで、前記診断からの結果が前記診断の結果に応じた治療上の放射強度を調節することによって治療プロセスを制御する方法。
【請求項１６】
腫瘍診断と腫瘍治療との切替が光学的供給器内の回転可能ディスク（４）を回転することによって行われ、それにより、放射案内部および／または放射源ならびに／もしくは放射センサからなる異なる配列体が前記放射案内部（６、６’）に連結されている請求項１５に記載の方法。
【請求項１７】
相互作用でかつ間隙性の光力学的腫瘍治療または高熱を用いた光熱的腫瘍治療と、前記腫瘍部位（８）の治療と同一の場所での腫瘍診断とを交互に使用できる請求項１６に記載の方法。
【発明の詳細な説明】
【技術分野】
【０００１】
本発明は、人体および／または人体の部位の光力学治療ならびに／もしくは光熱治療および／または診断のための装置および方法に関する。このような装置および方法において、放射により反応する部位に対して放射作用が行われており、装置は少なくとも一つの放射源から反応部位まで放射すると共に反応部位から少なくとも一つの放射センサまでそれぞれ放射する供給器を具備しており、反応部位は好ましくは腫瘍部位である。
【背景技術】
【０００２】
腫瘍症状の医学的治療の分野においては、有害な腫瘍症状、例えば腫脹の治療のために複数の治療物理療法が発展してきている。手術、細胞増殖抑制性治療、電離放射線（ガンマ線および粒子放射線）による治療、アイソトープ療法および放射性針部による近接照射療法は一般的な治療物理療法の例である。治療における大きな進歩にもかかわらず、腫瘍症状は人間に対する大きな被害であることを示し続けていて、西洋の国における死亡の高い割合を示している。比較的新規の治療物理療法、つまりＰＤＴと呼ばれる光力学治療は治療分野において興味深い補完的役割または変更可能な他の実施例を提供している。通常は感作体と呼ばれている腫瘍を探索する因子は静脈内、経口的または局所的に存在しうる。因子は有害な腫瘍をなすように積み重なって、周囲の健康な組織よりも高くなる。次いで腫瘍領域には熱せられていない赤色光が通常はレーザから放射され、感作体はさらに付勢状態にまで励起される。活性化した感作体から組織の酸素分子までエネルギが移転することによって、酸素は通常の三重項状態から励起された一重項状態まで転移する。一重項状態の酸素は組織に対して特別の毒性があること、つまり細胞が根絶されて組織が壊死することが知られている。腫瘍細胞に対する感作体の局部限定のために、特別の選択性が得られており、周囲の健康な組織は残される。特にヘマトポルフィリン誘導体（ＨＰＤ）およびデルタアミノレブリン酸を用いた初期の臨床実験は良好である。
【０００３】
感作体は、物質が紫外線放射により励起されるときに赤色蛍光信号の特性を呈するさらに有利な特性を示している。この信号は組織の自発蛍光に対して明確であり、この信号を組織内の感作体の取り込み量を定量化するために使用して腫瘍を局所化することができる。
【０００４】
活性赤色放射の組織内における制限された透過作用はＰＤＴの大きな欠点である。これにより、５ｍｍの厚さまでの腫瘍のみが表面での放射により治療され、組織間腔のＰＤＴ（ＩＰＤＴ）を利用することができる。この場合には、光を導くことのできる光ファイバは、このファイバが配置されるルーメンのシリンジ針部によって腫瘍まで供給される。
【０００５】
有効な治療を行うために、複数のファイバを使用して、全ての腫瘍細胞が十分な光量を受けて有毒な一重項状態が得られるかを確認できるようになる。組織の吸収および分散特性の線量の計算を行うことができることが示されている。例えばスウェーデン特許第５０３４０８号においては、組織から他の組織まで透過する所定のファイバまで到達する光束の測定および治療のために六つのファイバが使用されているＩＰＤＴ装置が開示されている。このようにして、改良された正確な光線量の計算を腫瘍の全ての部分に対して行うことができる。
【０００６】
スウェーデン特許第５０３４０８号に開示される装置においては、単一のレーザからの光が、多数の構成要素を含むビームスプリッタ装置によって六つの異なる部分まで分割される。次いで、光は六つの個々の治療用ファイバに焦点合わせされる。一つのファイバは送信部として使用され、他のファイバは組織を浸透する放射作用の受信部として使用される。光の測定のために、光検出部がビーム経路内まで回転し、それにより、経路が閉鎖される。このため、組織に対して処理される光を集める光ファイバに基づく弱い光が測定される。
【発明の開示】
【０００７】
しかしながら、そのような開放したビーム経路はビームスプリット作用を大幅に低下させ、結果的に生じる光の損失は光の分布および光の測定を大幅に損なう。さらに、そのようなシステムをしばしば光学的に調節する必要があり、このことは臨床治療に関して重要であると考えられる。
【０００８】
本発明の目的は前述した欠点を排除することであり、このことは、請求項１に基づく装置の特性を与えることによって達成される。極めて実用的でかる有効な相互作用ＩＰＤＴの器具は、診断および線量測定のための異なる光学測定が一体的かつ単純に行われるように達成される。本発明の重要な適用例は相互作用でかつ組織間腔の光力学治療および／または相互作用の光熱腫瘍治療である。
【発明を実施するための最良の形態】
【０００９】
本発明をさらに詳細に説明するために、本発明の多数の実施形態が添付図面を参照して説明される。
図１から図４を参照して本発明に基づく装置の供給器の好ましい実施形態を説明する。供給器１は、互いに隣接して配置される二つの平坦なディスク、例えば厚さが１ｃｍの鋼製ディスクを具備している。これらディスクは軸部２上に配意されており、一方のディスクは固定ディスク３であり、他方のディスクは回転可能ディスク４である。固定ディスク３および回転可能ディスク４は、図１においては互いに当接していて、図２においては互いに分離されている。
【００１０】
円をなすように均等に形成された穴５は放射案内部６、７を固定するために両方のディスクに配置されている（図３を参照されたい）。穴５の直径は０．３ｍｍから０．７ｍｍであるのが好ましい。高精度を達成するために、二つのディスクを心出し用チューブを用いて一緒に穿孔し、それにより、光案内部つまり可視放射案内部を正確に対面して配置することができる。次いで、共通の軸部２を利用する。従って、一連の穴を形成するときに極めて高精度を達成することができる。
【００１１】
これらディスクを一緒に穿孔することによって、放射案内部をこれらディスクに固定することができる。これにより、極めて薄いディスクをわずかながら回転させて好ましくはバネ付勢させ、それにより、あらゆる接着剤または他の固定手段を必要とすることなしに、全ての光案内部をこれら光案内部の所定の位置に同時に把持できるようになる。あるいは、穴の直径を光案内部の直径よりも大きく形成し、それにより、適切な管の一部を穴に取付たり、光案内部の端部に取付ホースを設けることもできる。あるいは、穴に挿入する張出し部またはフランジを光案内部の端部に設けるようにしてもよい。
【００１２】
光案内部は光ファイバであるのが好ましく、この場合には、光案内可能材料を内包する異なる形式のホースまたは可撓性管が含まれる。光案内部は、回転可能ディスク４が問題なく完全に（３６０°）回転できる長さであってかつそのように配置されている。光案内部が螺旋を形成するのを避けるために、運動方向を反対にできる。
【００１３】
本発明によれば、放射作用を反応部位８まで案内するためおよび放射作用を反応部位８から案内するためにシステム内の複数の第一光案内部６が固定ディスク３内に配置されている。本願明細書において反応部位は、治療を受けるときに光力学活性化合物が腫瘍内で反応する部位を意味する。例えば腫瘍に配置される注入針のルーメンを通じて供給することによって、これら放射案内部６は反応部位８に固定される。次いで、放射案内部６を前進させて、針の先端の外方に到達させる。調整診断学および放射線量測定のため同一の光案内部６を常に使用して、患者に複数の刺し傷を与えるのを避けることができる。
【００１４】
固定ディスク３および回転可能ディスク４内の穴５は円形線上に配置されている、一方のディスクの円の半径は他方のディスクの円の半径に等しい。一方のディスクの穴は円形線に沿って分離角Ｖ１（＝３６０／ｎ１）で均等に配置されており、ｎ１は穴の数に等しい。他方のディスクの穴は３６０／ｎ２に等しい分離角Ｖ２で円形線に沿って均等に配置されている。第一の放射案内部６の第一の端部は固定ディスク３の穴に固定されている。第二の放射案内部７の第一の端部は回転可能ディスク４の穴に固定されている。穴を形成して、回転可能ディスク４を回転したときに両方のディスクの放射案内部を異なる配列で互いに連結可能にするために、ｎ２はｎ１の倍数として選択され、それにより、ｎ２は１より大きい整数かまたは１に等しいものとして得られる。固定ディスク内の穴の数は二個から六個まで適切に選択される。
【００１５】
六個の穴が固定ディスク３に形成されると共に十二個の穴が回転可能ディスク４に形成されるのが好ましい。六つの第一放射案内部６を備えた固定ディスク３においては分離角は６０°になり、回転可能ディスク４に形成された十二個の穴については第二の放射案内部７に関する分離角は３０°になる。
【００１６】
本発明の理解を容易にするために、本発明に基づくシステムの供給器の好ましい実施形態の以下の説明は、放射作用の反応部位８からの案内のためおよび反応部位８への放射作用の案内のために固定ディスク３に配置された六個の第一放射案内部６に関する。
【００１７】
従って、回転可能ディスク４および固定ディスク３は対応する第二の放射案内部７のための六つの穴５を備えており、さらに回転可能ディスク４は第二の放射案内部７のための六つの追加の穴を備えている。これら放射案内部７の全ては反応部位８への放射を解放すると共に、反応部位８からの放射を受容する。従って、複数の分光を同時に記録して読み取ることができる。
【００１８】
回転可能ディスク４を回転させすることによって、第一および第二の放射案内部は異なる配列で互いに連結できるようになる。供給器１における対向する放射案内部の正確な位置決め作用は、回転可能ディスク４を所定の角度位置で停止させる整列手段によって容易に行われる。回転可能ディスク４に配置されたバネ付勢式ボール１１（図４）を捕獲するために、例えば溝１０を軸部２に形成することもできる。
【００１９】
診断モードと治療モードとの間の迅速かつ有効な切換を行うために、本発明に基づく供給器１の第二光案内部を一つおきに第一の列と第二の列とに分ける。両方の穴の列は同一の円上に配置されているが、互いに３０°だけずれている。他の一つおきの第二の光案内部の第一の列における特定の光案内部７ａ’は少なくとも一つの放射源９ａからの放射を供給するように配置されている。第二の放射案内部の第一の列における特定でない他の放射案内部７ａは少なくとも一つの放射センサ１２に放射を案内するために配置されている。他の一つおきの第二の放射案内部７ｂの第二の列は治療目的のために配置されていて、少なくとも一つの放射源９ｂから反応部位８まで放射を供給する。
【００２０】
本発明の好ましい実施形態においては、放射案内部は光ファイバであって、図１および図２に示される供給器１においては光案内部の固定ディスク３および回転可能ディスク４に連結されている。回転可能ディスク４に連結されているファイバから、六つのファイバを診断目的のために使用し、六つのファイバを治療目的のために使用することができる。しかしながら、診断モードにおいては、一個から三つ以上の物理療法を採用することができる。
【００２１】
図５から図７を参照すると、明確にする目的で、回転可能ディスク４に結合されている前述した放射案内部のみが示されている。他の放射案内部は図示されていないが、他の放射案内部も回転可能ディスク４に結合されているものとする。
【００２２】
回転可能ディスク４を３０°だけ回転することによって、患者の組織に光学的に結合されたファイバ６を治療および診断ならびに測定のために使用することができる。診断モードにあるときに一つおきの第二放射案内部７のうちの一つが診断のための異なる放射源に連結されており、他の五つの放射案内部は、これら放射源と組織との相互作用に関する信号を受信する。
【００２３】
強度および分光分解能が重要であるので、これら五つの放射案内部の先端はスリット状に配置されており、それにより、これら先端は放射センサ１２の入口用スリットで重畳するかおよび／または放射センサ１２の入口スリットを構成する。放射センサ１２は小型分光計であって二次元検出配列体が設けられている。分光計の記録範囲は好ましくは４００ｎｍから９００ｎｍの範囲であるのが好ましい。当然のことながら、放射案内部７ａのそれぞれは、分光計または他の形式の検出器、例えば小型組込み式分光計の形態をなした特有の放射センサ１２に連結されている。
【００２４】
図５を参照すると、特定の放射案内部７ａ’は供給器１と同様な配列体に連結されている。この配列体は第二の固定ディスク１３と第二の回転可能ディスク１４とを具備しており、これらディスクは共通の軸部１５に配置されている。全ての固定ディスク１３および回転可能ディスク１４は図６に示されるように単一の軸部に配置することもできる。このようにして、さらに小型でかつ堅固な構成を得ることができる。
【００２５】
さらに特別には、放射案内部７ａ’は第二の固定ディスク１３の単一の穴に配置されている。さらに光案内部１７は第二の回転可能ディスク１４において円をなすように配置されている。この場合には、三つの光案内部は異なる放射源９ａに連結されており、それぞれの光案内部を放射案内部７ａ’および異なる第一の放射案内部６に連結することができる。
【００２６】
好ましくは放射源９ａは、光力学的腫瘍治療のためにレーザ放射に利用される波長と同一波長のレーザであるが、概ね低い出力パワーである。正確な力学範囲を全ての測定作業に利用できるようにするために、適切なフィルタを第二の回転可能ディスク１４に配置して、放射センサ１２の光路に変えられる。
【００２７】
対応する波長の放射（光）が腫瘍の組織を浸透する方式を研究するために、特定の放射源９ａを利用することができる。放射源９ａからの光が特別の放射案内部７ａ’を通ってディスク１３、１４、３、４を介して組織内に伝達されるときに、供給器１内の放射案内部６’に対向する第一の放射案内部６の一つが腫瘍内の送信部として機能し、腫瘍内の他の五つの放射案内部６は受信部として機能して、これらに到達する分散光束を収集する。収集された光はディスク３、４、１３、１４を介して放射センサ１２まで再び案内され、五つの異なる光強度が検出配列体において記録される。
【００２８】
回転可能ディスク４が６０°だけ回転すると、患者に対して次の放射案内部６を送信部としての役目を果たすようになり、他の五つの放射案内部は新規な光供給器のための受信部になる。患者内に在る次の放射案内部６に対してそれぞれ６０°だけ回転可能ディスク４をさらに四回回転させた後に、送信部／受信部の残り全ての組み合わせの光束データが記録される。従って、全体で６×５＝３０回分の測定値が得られて、治療時における腫瘍の異なる部分に蓄積された光学的線量の局所解剖的モデルの入力データとして使用することができる。
【００２９】
特定の波長に対する変更可能な実施形態としては、白色光源からの放射を特別の光案内部７ａ’に結合させられる。組織を通って患者内の受信用光案内部６までの経路においては、放射源９ａの予め形成された分光分布は組織の吸収性によって変更される。次いで、酸化血液は非酸化血液とは異なるサインを呈し、それにより、診断調査時に回転可能ディスク４を回転させたときの可能性のある六つの異なる配列における五つの光を一度に読み取ることによる３０の分光分布を利用して酸素分布の断層撮影的測定を行うことができる。ＰＤＴプロセスが組織内の酸素へのアクセスを必要とするので、そのような主要なの酸素の測定は重要である。
【００３０】
最終的に、青色／紫色または紫外線光の光源、例えばレーザを特別の放射案内部７ａ’に結合することができる。次いで、蛍光が組織内に誘導され、組織に対して処方される感作体は赤色／近赤外分光領域における赤色蛍光分布の特性を示す。対応する信号の強さは組織内における感作体の濃度を定量化することができる。
【００３１】
短い波長の光の組織での浸透性は極めて小さいので、誘導された蛍光を放射案内部の先端において局所的に測定する必要がある。この作業のために、特別の放射案内部７ａ’の先端における対応した放射源９ａに関する場合には、放射案内部１９を介して連結されると共に好ましくはダイクロックであって励起光を伝達するが赤色偏倚した蛍光光を反射するビームスプリッタ１８が存在している。この反射光は伝達用放射案内部１９の先端に焦点合わせされており、伝達用放射案内部１９の他端は放射センサ１２に連結されている。放射センサ１２は蛍光分布を記録する。適切な自蔵式蛍光センサはＲｅｖ．Ｓｃｉ．Ｉｎｓｔｒ．７１、３００４（２０００）に記載されている。
【００３２】
回転可能ディスク４を回転することによって、感作体の濃度に比例する蛍光を六つの放射案内部の先端において順次に測定することができる。感作体は強大な赤色治療光にさらされ、特に放射案内部６’の先端周りでは強大であるので、治療開始前にこの測定を行うことが一般的である。
【００３３】
さらに放射案内部６の先端が物質により処理される場合には、物質の蛍光特性は温度に依存し、鋭い蛍光線が励起時に得られ、蛍光線の強度および放射案内部６’の先端の温度に依存する相対強さは治療のために採用されうる。そのような物質の例は遷移金属または希土類金属の塩である。従って、温度は六つの放射案内部の六つの場所において一度に測定されうる。関連する光減衰についての血液凝固が放射案内部６の先端で生じているか否かを発見するため、およびＰＤＴと熱的相互作用との間における協力作用の利用に関する研究のために、測定温度を利用することができる。得られた線がシャープであるので、これら線を組織からさらに広範囲の蛍光分布に上げることができる。
【００３４】
特定の物質に対しては感作体の濃度を別の方法で測定できる。さらに、光伝播研究に使用される赤色光は近赤外蛍光を誘発するのに使用される。この蛍光は組織を通って受信用放射案内部６の先端まで浸透して、放射センサ１２において得られた分光として同時に表示される。３０個全ての測定値に基づいて濃度分布の断層撮影的計算を行うことができる。
【００３５】
診断測定および計算が行われた後で、患者の組織の光学的に結合されているファイバ６は、回転可能ディスク４を３０°だけ回転することにより治療のために使用されうる。図７を参照すると、他の一つおきの第二の放射案内部７ｂの第二の列が利用され、これらは供給器１を介して対向する放射案内部６に連結される。六つの放射案内部７ｂのそれぞれまたは全ては個々の第二の放射源９ｂに連結されており、これら放射源９ｂは感作体の吸収帯に適合した波長のレーザ源であるのが好ましい。光力学的腫瘍治療においては、採用される感作体に関して選択された波長の色素レーザまたはダイオードレーザを使用するのが好ましい。Ｐｈｏｔｏｆｒｉｎ（登録商標）の場合には、波長は６３０ｎｍであり、デルタアミノレブリン酸（ＡＬＡ）の場合には波長は６３５ｎｍであり、フタロシアニンの場合には波長は６７０ｎｍ程度である。個々のレーザは所望の個々の出力パワーに対して治療時に調節される。要求される場合には、個々のレーザは内蔵式監視検出器である。
【００３６】
治療法上の治療を中断し、最適な治療が行われるまでは診断データを相互作用方法において処理することができる。この方法はＰＤＴと過温症との間の相乗作用を含んでおり、高められた温度がレーザ放射の増大した束に到達する。全ての処理はコンピュータにより処理され、コンピュータは全ての計算を行うだけでなく調節のためにも利用される。
【図面の簡単な説明】
【００３７】
【図１】本発明に基づく装置の第一の実施形態の略斜視図であり、本発明の装置に配置される光コンダクタが組織間腔的に腫瘍に挿入されている。
【図２】供給器のディスクが隔離されている図１と同様の図である。
【図３】回転可能な供給器ディスクであって孔が形成されているディスクの上方からみた平面図である。
【図４】供給器の回転可能ディスクの略断面図であり、バネ付勢されたボールが設けられている。
【図５】供給器が腫瘍診断モードにあるときの本発明に基づく装置の使用を示す略斜視図である。
【図６】図５から図２と同様な図であって、二つの供給器が同一の単一軸線に配置されている。
【図７】供給器が腫瘍の光力学治療モードにあるときの本発明に基づく装置の使用を示す略斜視図である。
【図１】
2005508690.tif 000003
【図２】
2005508690.tif 000004
【図３】
2005508690.tif 000005
【図４】
2005508690.tif 000006
【図５】
2005508690.tif 000007
【図６】
2005508690.tif 000008
【図７】
2005508690.tif 000009
【国際調査報告】
2005508690.tif 000010
2005508690.tif 000011
2005508690.tif 000012
2005508690.tif 000013